(57)【要約】      （修正有）【課題】背もたれクッションが角度調整自在で使い勝手が良く、安全なベビーバスを提供する。【解決手段】空気を注入すると、外周部は複数の中空筒状部で段状構成されるとともに底部は繰り返し断面略円状に連続構成されるクッション部１０を備える。上記中空筒状部には、そのうちのひとつが損傷して空気が抜けてもすぐには型崩れしないように、それぞれに空気注入部を設けて互いに独立させる。さらに、側面が不等辺直角三角形状の略三角柱状の背もたれがベビーバス内部に取り付ければこの背もたれクッションでゆったりでき、しかもクッションの付け変えで角度調節も自在にできるようにしても良い。【選択図】図１
0003150425.tif 000002
【実用新案登録請求の範囲】
【請求項１】
空気を注入することにより形成されるベビーバスにあって、外周部は複数の中空筒状部で段状構成されるとともに底部は断面略円状に連続構成されるクッション部を備えてなることを特徴とするベビーバス。
【請求項２】
空気を注入することにより形成されるベビーバスにあって、外周部は複数の中空筒状部で段状構成されるとともにそれぞれに空気注入部を設けて互いに独立させてなることを特徴とするベビーバス。
【請求項３】
空気を注入することにより形成されるベビーバスにあって、底部は断面略円状に連続構成されるクッション部を備えてなることを特徴とするベビーバス。
【請求項４】
側面が不等辺直角三角形状の略三角柱状の背もたれがベビーバス内部に取り付け・取り外し自在に構成されてなる請求項１〜３ 記載のベビーバス。
【考案の詳細な説明】
【技術分野】
【０００１】
本考案は、空気でふくらませる、使い心地のやわらかなベビーバスに関するものである。
【背景技術】
【０００２】
従前から、空気でふくらませるベビーバスについては種々のタイプが知られている。たとえば、外周を縦に数多く仕切った構成とするとともに、お尻ストッパーを底面中央部に設置するようにしたものがある。
【特許文献１】特開2008-36036
【０００３】
しかしながら、上記の構成のベビーバスはよく工夫がなされているが、やわらかな使い心地という点においては不満があったものである。
【０００４】
上記の従来品のもつ短所は、やわらかな使い心地という点においては不満があることと、お尻ストッパーが定位置に不動の状態で置かれるので逆に動きが制限されるということに理由があった。
【考案の開示】
【考案が解決しようとする課題】
【０００５】
解決しようとする問題点は、従来のベビーバスに比べるとはるかに使い心地のやわらかさにすぐれ、かつ安全であるとともに、背もたれクッションが角度調整自在で使い勝手が良いベビーバスを提供することにある。
【課題を解決するための手段】
【０００６】
本考案は、この解決策として、空気を注入することにより形成されるベビーバスにあって、外周部は複数の中空筒状部で段状構成されるとともに、中空筒状部のそれぞれに空気注入部を設けて互いに独立させてなるものである。  
また、底部は断面略円状に連続構成されるクッション部を備えてなるものである。
さらに、側面が不等辺直角三角形状の略三角柱状の背もたれがベビーバス内部に取り付け・取り外し自在に構成されてなるものである。
【考案の効果】
【０００７】
空気を注入すると、外周部は複数の中空筒状部で段状構成されるとともに底部は断面略円状に連続構成されるクッション部を備えているから使い心地がやわらかい上に、上記中空筒状部にはそれぞれに空気注入部を設けて互いに独立させてなるから、そのうちのひとつが損傷して空気が抜けてもすぐには型崩れせず安全である。また、側面が不等辺直角三角形状の略三角柱状の背もたれがベビーバス内部に取り付ければこの背もたれクッションでゆったりでき、しかもクッションの付け変えで角度調節も自在にできるなど、新生児の沐浴に、入浴に、水遊びに快適に使用できる。
【考案を実施するための最良の形態】
【０００８】
空気を注入すると、外周部は複数の中空筒状部で段状構成されるとともに当該中空筒状部にはそれぞれに空気注入部を設けて互いに独立させ、底部は断面略円状に連続構成されるクッション部を備えてなるものである。また、側面が不等辺直角三角形状の略三角柱状の背もたれがベビーバス内部に取り付け・取り外し自在に構成する。
【実施例１】
【０００９】
図１〜図９は本考案の一実施例を示す写真である。図１は本考案に係るベビーバス１の平面写真である。図２および図３の側面写真に示すように外周部２は三段の中空筒状部３，４，５で段状構成され、これらの中空筒状部３，４，５は互いに隔壁により独立し、それぞれ空気注入部６，７，８が設けられている。つまり、中空筒状部３，４，５は互いに空気の流入流出がない独立した構造であるから、かりにそのひとつの中空筒状部が損傷し空気が抜けてもその他の中空筒状部には影響を与えないので、急激な型崩れもなく安全である。また図１の平面写真に示すように内底部９は断面略円状に連続構成されるクッション部10を備え、これにも図４の底部裏面写真に示すように裏面部11にこのクッション部10用の空気注入部12 が設けられている。さらに図５の背もたれの側面写真に示すように、側面が不等辺直角三角形状の略三角柱状の背もたれ13には空気注入部14が設けられるとともに、図６の背もたれの平面写真に示すように斜辺部15を除く直交辺の長辺部16と短辺部17のそれぞれに平面ファスナー18、19が取り付けられ、ベビーバスの内底部および内側部に取り付けられた平面ファスナー20、21（図１の平面写真参照。）に取り付け・取り外し自在となっていて、角度調整が簡単にできる。図７は、ベビーバス１にこの背もたれ13の短辺部17をベビーバス１の内底部に、図８はベビーバス１にこの背もたれ13の長辺部16をベビーバス１の内底部にそれぞれセットした状態を示している。図９はこのベビーバス１の空気を抜き折りたたんだ状態を示している。尚、図中、22は取っ手である。
【００１０】
空気を抜けば、図９に示すように、コンパクトに収納でき、携帯にも便利である。
【００１１】
上記実施例では、外周部は三段の中空筒状部で段状構成したが、中空筒状部の数や幅については上記実施例に限定されない。
【産業上の利用可能性】
【００１２】
従来のベビーバスに比べると、使い心地のやわらかさについてはるかにすぐれるとともに、複数の中空筒状部は互いに独立しているから、そのひとつの中空筒状部が損傷し空気が抜けてもその他の中空筒状部には影響を与えないので、急激な型崩れもなく安全である。また背もたれクッションが角度調整自在で使い勝手が良く、新生児の沐浴に、入浴に、水遊びにと快適に使用できる。
【図面の簡単な説明】
【００１３】
【図１】本考案ベビーバスの一実施例を示す平面写真である。
【図２】図１のベビーバスの側面写真である。
【図３】図１のベビーバスの側面写真である。
【図４】図１のベビーバスの底部裏面写真である。
【図５】背もたれの側面写真である。
【図６】図５の背もたれの平面写真である。
【図７】ベビーバス１にこの背もたれ13の短辺部17をベビーバス１の内底部に平面ファスナーにより取り付けた状態を示す部分写真である。
【図８】ベビーバス１にこの背もたれ13の長辺部16をベビーバス１の内底部に平面ファスナーにより取り付けた状態を示す部分写真である。
【図９】このベビーバス１の空気を抜き折りたたんだ状態を示す写真である。
【符号の説明】
【００１４】
１  ベビーバス
２  外周部
３  中空筒状部
４  中空筒状部
５  中空筒状部
６  空気注入部
７  空気注入部
８  空気注入部
９  ベビーバス内底部
10  クッション部
11  ベビーバス裏面部
12  空気注入部
13    背もたれ
14  空気注入部
15  斜辺部
16    長辺部
17    短辺部
18    平面ファスナー
19    平面ファスナー
20    平面ファスナー
21    平面ファスナー
22    取っ手
【図１】
0003150425.tif 000003
【図２】
0003150425.tif 000004
【図３】
0003150425.tif 000005
【図４】
0003150425.tif 000006
【図５】
0003150425.tif 000007
【図６】
0003150425.tif 000008
【図７】
0003150425.tif 000009
【図８】
0003150425.tif 000010
【図９】
0003150425.tif 000011
【手続補正書】
【提出日】平成21年3月6日(2009.3.6)
【手続補正１】
【補正対象書類名】実用新案登録請求の範囲
【補正対象項目名】請求項４
【補正方法】変更
【補正の内容】
【請求項４】
側面が不等辺直角三角形状の略三角柱状の背もたれがベビーバス内部に取り付け・取り外し自在に構成されてなる請求項１〜３の
いずれか１項に記載のベビーバス。
【手続補正２】
【補正対象書類名】図面
【補正対象項目名】図３
【補正方法】変更
【補正の内容】
【図３】
0003150425.tif 000012
【手続補正３】
【補正対象書類名】図面
【補正対象項目名】図９
【補正方法】変更
【補正の内容】
【図９】
0003150425.tif 000013